(57)【要約】      （修正有）【課題】設置する際にトタン屋根を傷つける虞の無い雪止め金具を提供する。【解決手段】直立板１と、基板３と、締付板４とを有し、基板３と、締付板４との間でトタン板を挟持する雪止め金具であって、締付板４は蝶番部４ａを備え、蝶番部４ａによって基板３に対して上下に開閉可能に設置してある。【選択図】図１
0003220464.tif 000002
【実用新案登録請求の範囲】
【請求項１】
直立板と、基板と、締付板とを有し、前記基板と、前記締付板との間でトタン板を挟持する雪止め金具であって、
前記締付板は蝶番部を備え、該蝶番部によって基板に対して上下に開閉可能に設置してあることを特徴とする、雪止め金具。
【考案の詳細な説明】
【技術分野】
【０００１】
本考案は、トタン屋根に取付ける雪止め金具に関する。
【背景技術】
【０００２】
トタン板は、雨漏りの虞が少なく、低コストで施工できる等のメリットから、屋根の建築材として多く使用されているが、その部材厚の薄さから傷がついてしまった場合、傷ついた箇所からさびて屋根の痛みが進行し、穴が開くほど痛んでしまう場合がある。
【０００３】
また、冬季の降雪時において、トタン屋根に積もった雪が軒先に落下してしまうのを防ぐために、雪止めを設置している場合がある。例えば、横葺きのトタン屋根の場合、図５に示すようなトタン同士の連結部に引っ掛けるように設置できる断面略Ｌ字状の雪止め金具が広く使用されている。
【０００４】
しかしながら、図５のような従来の雪止め金具は、断面形状略Ｌ字状を呈する締付板３００と基板２００が金属の一枚板であり、なおかつ直立板１００に固定されているため、前記締付板３００と前記基板２００の間に設けられたトタン板挿入部４００の隙間を自由に変えることが出来なかった。このため、従来の雪止め金具をトタンの連結部に雪止めを設置する際、狭いトタン板挿入部４００に無理やりトタン板を挿入することでトタン板が傷ついてしまい、そこから錆が発生し屋根の痛みが進行してしまっていた。
【考案の概要】
【考案が解決しようとする課題】
【０００５】
本考案は上記事情に鑑み、トタン屋根を傷つけることなく設置することができる雪止め金具を提供することを目的とする。
【課題を解決するための手段】
【０００６】
直立板と、基板と、締付板とを有し、前記基板と、前記締付板との間でトタン板を挟持する雪止め金具であって、前記締付板は蝶番部を備え、該蝶番部によって基板に対して上下に開閉可能に設置してあることを特徴とする。
【考案の効果】
【０００７】
本考案によれば、トタン屋根をネジで締め付けて雪止め金具を固定する締付板の一部を蝶番にすることによって、トタン板を挿入する際の幅を自由に、且つ簡単に変更し、トタン屋根を傷つけることなく雪止め金具を設置することができる。
【図面の簡単な説明】
【０００８】
【図１】（ａ）は締付板を下した状態の雪止め金具の側面図であり、（ｂ）は締付板を跳ね上げた状態の雪止め金具の側面図である。
【図２】（ａ）はトタン屋根に雪止め金具を設置した際の斜視図であり、（ｂ）は（ａ）のII−II断面図である。
【図３】雪止め金具をトタン屋根に設置する際の手順を示した図である。
【図４】雪止め金具の平面図である。
【図５】従来の雪止め金具の斜視図である。
【考案を実施するための形態】
【０００９】
以下より、本考案の雪止め金具について詳説する。
本考案の雪止め金具は図１に示すように断面形状略Ｌ字型であり、大まかには屋根に対して略垂直に位置する直立板１と、直立板１に取り付けられている基板３と、前記基板３と共に直立板１に取り付けられている締付板４から構成されている。
【００１０】
直立板１は、雪止め金具を屋根に設置する際に屋根に対して略垂直をなす部材であり、屋根との接地部分には、直立板１の他方側に略直角をなす支板２が取り付けられている。該支板２は図４に示すように、直立板１の両端部にのみ取り付けられている。
【００１１】
基板３は断面形状略Ｌ字型の部材であり、前記直立板１の一方側に取付けられた取付部３ａと、該取付部３ａと略直角をなす基部３ｂで構成されている。基部３ｂはトタンネジ５を有しており、一方側端部がやや上方向に屈曲している。トタンネジ５は、ネジ先が上を向くように基部３ｂに取付けられている。
【００１２】
締付板４は、前記基板３と同様に断面形状略Ｌ字型の部材であり、前記取付部３ａに隙間材８を介して取付けられている蝶番部４ａと、前記蝶番部４ａと略直角をなし、一方側端部がやや下方に屈曲する締付部４ｂで構成されており、締付部４ｂには、前記トタンネジ５の軸が貫通するように開口部４ｃを有している。
蝶番部４ａは、雪止め金具の長手方向に向かって伸びる軸によって図１（ｂ）のように、上下方向に回動できる。また、蝶番部４ａは前記取付部３ａよりも長さが短いため、蝶番部４ａと一体的に構成されている締付部４ｂは基部３ｂとの間に空隙を有しており、図１（ａ）に示すように締付板４と基板３の間は、断面形状略Ｌ字状の空間が生じている。
締付部４ｂが有している開口部４ｃは、回動する締付部４ｂに対してトタンネジ５が貫通しやすいよう略楕円型を呈している。また、前記開口部４ｃの他方側には、ネジ先を下に向けたアングルネジ６が取り付けられており、アングルネジ６の長さはネジ先が基板３に触れないような長さである。
【００１３】
以下より、本考案の雪止め金具の取付け方を図３（ａ）〜（ｃ）に沿って説明する。
横葺きのトタン屋根２０において、トタン板１０同士の連結は図３（ａ）のように棟側のトタン板１０の先端と、軒先側のトタン板１０の先端が嵌合することで行われる。図３（ａ）に示す本実施形態例のような場合、連結部３０の軒先側に隙間４０が生じている。
本考案の雪止め金具を設置する際は、図３（ａ）のように締付板４を跳ね上げた状態で基板３を前記隙間４０に挿入する。この時挿入する基部３ｂの先端は、上向きにやや屈曲しているため、雪止め金具本体を棟側に傾けて基板３を挿入する。基板３を隙間４０に挿入していくと、図３（ｂ）に示すようにトタンネジ５がトタン板１０にぶつかり、それ以上基板３を挿入できなくなる。トタンネジ５がトタン板１０にぶつかったところで、跳ね上げていた締付板４を連結部３０に被せるように下ろすと、図３（ｃ）のように開口部４ｃを介してトタンネジ５が突出するため、ナット７を用いて締付板４をトタン屋根２０に固定する。
【００１４】
また、アングル９も設置したい場合は、図３（ｂ）の状態でアングル９を取付部３ａに当接させるように設置した後、締付板４を下ろせば基板３と締付板４との間に生じる断面形状略Ｌ字状の空間にアングル９が収まるため、アングルネジ６を締めてアングル９を固定することができる。なお、アングル９とは、断面形状が略Ｌ字型の鋼材であり、雪止め金具の一つとしても用いられている。
【００１５】
上記したような雪止め金具であれば、締付板４の蝶番部４ａが跳ね上がることにより基板３との間隔を自由に変更することができるため、従来のようにトタン板を無理やり雪止め金具に挿入することで屋根を傷つける虞が無くなり、スムーズに、且つ締付板４を跳ね上げるという作業だけで簡単に雪止め金具を取り付けることができる。
【００１６】
また、トタン屋根の錆は屋根に付いた傷から発生する場合が多く見られ、従来の雪止め金具の設置の際に付けてしまった傷などが原因になっていたが、本考案の雪止め金具であれば、屋根の錆の原因になり得る傷を作ってしまう虞が無くなり、トタン屋根をより長持ちさせることができる。
【００１７】
本実施形態例において、雪止め金具に用いているトタン屋根に固定するためのネジは１箇所のみとしているが、より強く、安定して屋根に固定したい場合などにおいては、ネジを２箇所以上としても良い。
【符号の説明】
【００１８】
１  直立板
３  基板
４  締付板
４ａ  蝶番部
４ｂ  締付部
１０  トタン板
【図１】
0003220464.tif 000003
【図２】
0003220464.tif 000004
【図３】
0003220464.tif 000005
【図４】
0003220464.tif 000006
【図５】
0003220464.tif 000007